(57)【特許請求の範囲】
【請求項１】
裏面に長手方向に沿って壷状の係合溝を形成した板状の硬質屋根材と、前記係合溝に係合する係止片と、外側方に突出した固定片とから形成した固定金具と、接着剤とからなり、硬質屋根材の係合溝に固定金具の係止片を係合して硬質屋根材に固定金具を固定して屋根材を形成し、既存の新生瓦屋根に屋根材を固定金具の固定片を固定具により既存屋根下地に固定し、屋根材の裏面には接着剤が形成されて既存の新生瓦屋根に接着されていることを特徴とする新生瓦屋根の改修構造。
【発明の詳細な説明】
【０００１】
【産業上の利用分野】
本発明は既存のスレート系屋根材等の新生瓦屋根を剥がさずに、その上に簡単に硬質屋根材を施工できる、新生瓦屋根の改修構造に関するものである。
【０００２】
【従来の技術】
従来、スレート系屋根材、新生瓦屋根材（コロニアル等）、等を改修するには、既存の屋根材を剥がし、防水シートを形成し、その上に新しい屋根材を施工していた。また、新生瓦屋根、スレート屋根、等は表面から固定具を打設していた。
【０００３】
【発明が解決しようとする課題】
しかしながら、このような改修構造では、施工に時間がかかると共に、コスト高になるものであった。また、固定具の打設の際に誤って屋根材を破損してしまうことが多々あり、取り付けには熟練を要した。
【０００４】
【課題を解決するための手段】
本発明はこのような欠点を除去するため、裏面に長手方向に沿って壷状の係合溝を形成した板状の硬質屋根材と、前記係合溝に係合する係止片と、外側方に突出した固定片とから形成した固定金具と、接着剤とからなり、硬質屋根材の係合溝に固定金具の係止片を係合して硬質屋根材に固定金具を固定して屋根材を形成し、既存の新生瓦屋根に屋根材を固定金具の固定片を固定具により既存屋根下地に固定し、屋根材の裏面には接着剤が形成されて既存の新生瓦屋根に接着されている新生瓦屋根の改修構造を提供するものである。
【０００５】
【実施例】
以下に図面を用いて、本発明に係る新生瓦屋根の改修構造について詳細に説明する。図１〜図７（ａ）、（ｂ）は本発明に係る新生瓦屋根の改修構造の部材の一実施例を示す説明図と施工状態説明図であり、屋根材Ｐ、硬質屋根材Ａ、固定金具Ｂ、防水下地材Ｃ、既存屋根下地α、固定具βとからなるものである。なお、既存屋根下地αは既存の新生瓦屋根等と防水シート（点線で示す）、野地板、垂木等からなるものである。勿論、既存屋根下地αとしては、既存の新生瓦屋根等と鉄骨下地からなるものを使用しても良いものである。なお、図では一例として既存の屋根の改修を示しているが、新築の外壁、既存の壁改修にも使用できるものである。
【０００６】
図１は屋根材Ｐを示す斜視図、図２（ａ）〜（ｃ）は硬質屋根材Ａ、固定金具Ｂ、屋根材Ｐを示す断面図、図３（ａ）〜（ｄ）は固定金具Ｂを示す斜視図と断面図、図４（ａ）、（ｂ）は施工状態を示す説明図、図５（ａ）、（ｂ）は防水下地材Ｃを示す斜視図と施工状態図、６（ａ）、（ｂ）は本発明に係る新生瓦屋根の改修構造を形成した家屋を示す平面図と屋根部分を示す部分拡大平面図である。
【０００７】
硬質屋根材Ａは図１、図２（ａ）に示すように化粧面１を略方形板状に形成したものであり、上下端部に下連結部２、上連結部３を形成し、左右端部に右連結部４、左連結部５を形成したものである。また、裏面１ａには係合片７を有する壷状の係合溝６を形成したものである。
【０００８】
その素材としてはセメント板、炭酸カルシウム板、珪酸カルシウム板、セラミック板、木片セメント板、炭酸マグネシウム板、スレート板、合成樹脂板等、あるいはこれらにガラス繊維、ウィスカー、アラミド繊維、スチール繊維、炭素繊維、各種鉱物繊維、各種骨材等を混入したものを押出成形、プレス成形、射出成形、抄造法等によって成形したもの、もしくは各種繊維をクロス状、三次元状に織り、これにセメント、粘土等を含浸してパネル状に成形したものを蒸気養生、あるいは焼成したもの、粘土を押出−乾燥−焼成して形成したセラミック板、等からなるものである。また、上記素材に塗料、釉薬等の塗膜を形成したり、ＦＲＰ樹脂等を貼着して強度を向上させたりすることも出来るものである。さらに、金属板材の裏面に合成樹脂発泡体、硬質基材等を充填した硬質屋根材Ａ、その硬質屋根材Ａの裏面をシート状の裏面材で被覆した硬質屋根材Ａ、あるいは雄雌連結構造を形成した金属系サイディング材、窯業系サイディング材、等の硬質屋根材Ａを使用することもできるものである。
【０００９】
化粧面１は意匠性を向上する部分であると共に、上段の硬質屋根材Ａから流れてきた雨水等が上連結部３から浸入しないように形成した防水下地としても機能するものである。
【００１０】
下連結部２と上連結部３は上下方向において重なりあって防水性を強化する部分であると共に、屋根に段差を形成する部分でもある。
【００１１】
下連結部２と上連結部３は図４（ａ）、（ｂ）に示すように後記する支持溝１１、係合溝１４により既存屋根下地αに固定されるものである。
【００１２】
右連結部４と左連結部５は図４（ｃ）に示すように連結され、目地部γにおいて防水性の強化、気密性の強化、施工性の強化（少々ずれても間隙が生じない）、等のために形成したものである。
【００１３】
固定金具Ｂは図１〜図３（ａ）〜（ｄ）に示すように形成されると共に、硬質屋根材Ａの裏面１ａに一体化されるものであり、係止面８と、係止面８の上下端部を外側方に突出して係止片９を形成し、係止面８の一部を上方に突出して固定片１０を形成したものである。なお、１０ａは固定孔である。
【００１４】
固定金具Ｂは図１、図２（ｃ）に示すように硬質屋根材Ａの係合溝６に係止されることにより一体化して屋根材Ｐを形成し、硬質屋根材Ａを固定する固定部として機能するものである。勿論、硬質屋根材Ａ自体は固定具βにより打設されなくなり、固定具β打設による硬質屋根材Ａの破損を無くすものである。
【００１５】
その素材としては、ステンレス、アルミニウム、スチール、銅等の各種鋼板、あるいはプラスチック樹脂、ＦＲＰ樹脂、等から形成したものである。
【００１６】
防水下地材Ｃは例えば図５（ａ）に示すように、水平面状の敷目部１１と敷目部１１の左右両端部を上方に突出した防水片１２と、敷目部１１の上端縁を内側方に屈曲して突出した固定片１３と、固定片１３の先端を上方に突出した上片１４とから形成したものである。
【００１７】
敷目部１１は目地部γの裏面に図５（ｂ）に示すように形成されるものであり、目地部γより浸入した雨水を下段の屋根材Ｐ上に流下させ、目地部γからの雨水の既存屋根下地αへの浸入を防止するものである。
【００１８】
防水片１２は、目地部γから浸入した雨水等が防水下地材Ｃを乗り越えて既存屋根下地αまで浸入しないように形成し、雨漏り防止、既存屋根下地αの腐食防止のために形成したものである。また、固定片１３は釘等の固定具βにより既存屋根下地αに打設することにより、防水下地材Ｃを固定する部分である。
【００１９】
その素材としては、ステンレス、アルミニウム、スチール、銅等の各種鋼板、あるいはプラスチック樹脂、ＦＲＰ樹脂、等から形成したものである。
【００２０】
接着剤Ｄは硬質屋根材Ａの裏面１ａに形成し、硬質屋根材Ａを既存屋根下地α上に強固に固定するために形成したものである。
【００２１】
接着剤Ｄとしてはセメント、グルー、ゴム糊、澱粉糊、合成樹脂、等が含まれる。
【００２２】
合成樹脂系の接着剤Ｄはエポキシ樹脂、フェノール樹脂、ウレタン樹脂、ビニル樹脂、アクリル樹脂、ポリエステル樹脂、ＥＶＡ樹脂、等よりなるものである。
【００２３】
特に、接着剤Ｄとして一液発泡ウレタン接着剤等を、ガン等により吐出して接着する方法が施工上簡単で望ましいものである。
【００２４】
以上説明したのは、本発明に係る新生瓦屋根の改修構造の一実施例であり、図７（ａ）〜（ｋ）〜図１０（ａ）〜（ｏ）に示すような各部材を用いた構造とすることも出来る。すなわち、図７（ａ）〜（ｋ）は硬質屋根材Ａのその他の例を示す説明図であり、特に（ｊ）、（ｋ）図は下連結部２に係止溝２ａを形成し、係止溝２ａに防水下地材Ｃを係止して硬質屋根材Ａを固定するようにし、防水下地材Ｃが外部に露出しないように形成した硬質屋根材Ａである。
【００２５】
図８（ａ）〜（ｏ）〜図１０（ａ）〜（ｏ）は防水下地材Ｃのその他の実施例を示す断面図である。
【００２６】
【発明の効果】
上述したように、本発明に係る新生瓦屋根の改修構造によれば、▲１▼硬質屋根材の裏面には既存屋根下地が存在するために、防水性が強化される。▲２▼硬質屋根材自体は固定具により直接打設されることがなく、割れることがない。▲３▼固定金具と接着剤により固定するために、風雨によりバタつくことがない。等の特徴、効果がある。
【図面の簡単な説明】
【図１】本発明に係る新生瓦屋根の改修構造で使用する屋根材の代表的な一例を示す説明図である。
【図２】本発明に係る新生瓦屋根の改修構造で使用する硬質屋根材と固定金具と屋根材の代表的な一例を示す説明図である。
【図３】本発明に係る新生瓦屋根の改修構造で使用する固定金具の代表的な一例を示す説明図である。
【図４】本発明に係る新生瓦屋根の改修構造の施工状態を示す説明図である。
【図５】本発明に係る新生瓦屋根の改修構造で使用する防水下地材の代表的な一例を示す説明図と施工状態図である。
【図６】本発明に係る新生瓦屋根の改修構造の施工状態を示す説明図である。
【図７】本発明に係る新生瓦屋根の改修構造で用いられる硬質屋根材のその他の例を示す説明図である。
【図８】本発明に係る新生瓦屋根の改修構造で用いられる防水下地材のその他の例を示す説明図である。
【図９】本発明に係る新生瓦屋根の改修構造で用いられる防水下地材のその他の例を示す説明図である。
【図１０】本発明に係る新生瓦屋根の改修構造で用いられる防水下地材のその他の例を示す説明図である。
【符号の説明】
Ａ  硬質屋根材
Ｂ  固定金具
Ｃ  防水下地材
Ｄ  接着剤
Ｐ  屋根材
α  既存屋根下地
β  固定具
γ  目地部
１  化粧面
１ａ  裏面
２  下連結部
２ａ  係止溝
３  上連結部
４  右連結部
５  左連結部
６  係合溝
７  係合片
８  係止面
９  係止片
１０  固定片
１０ａ  固定孔
１１  敷目部
１２  防水片
１３  固定片
１４  上片
【図１】
0004180199.tif 000002
【図２】
0004180199.tif 000003
【図３】
0004180199.tif 000004
【図４】
0004180199.tif 000005
【図５】
0004180199.tif 000006
【図６】
0004180199.tif 000007
【図７】
0004180199.tif 000008
【図８】
0004180199.tif 000009
【図９】
0004180199.tif 000010
【図１０】
0004180199.tif 000011